(57)【特許請求の範囲】
【請求項１】
床面上に支柱支持具を介して立設した支柱の下端と床面との間の空間の少なくとも一部を、閉塞部材をもって閉塞するようにした支柱下部の閉塞構造において、
前記支柱の外周面を下方に延長した延長面を複数の垂直面をもって分割し、その分割した各分割延長面を閉塞する複数の閉塞部材のそれぞれを、支柱の下端に設けた支持部材に着脱可能として装着したことを特徴とする支柱下部の閉塞構造。
【請求項２】
互いに隣接する閉塞部材の対向面に、支柱の中心軸線の延長線を含む垂直面をなす当接面を形成した請求項１記載の支柱下部の閉塞構造。
【請求項３】
各閉塞部材を、支持部材に上下方向に移動可能として装着した請求項１または２記載の支柱下部の閉塞構造。
【請求項４】
各閉塞部材を、支持部材に、水平軸回りに回動可能として装着した請求項１〜３のいずれかに記載の支柱下部の閉塞構造。
【請求項５】
各閉塞部材の裏面に、腕片を突設し、前記腕片の先端部に設けた水平軸を、支持部材に設けられ、かつ一部が前方に開口する凹入孔に嵌合し、この凹入孔内において前記水平軸が回動することにより、各閉塞部材が水平軸回りに回動可能とした請求項１〜４のいずれかに記載の支柱下部の閉塞構造。
【請求項６】
凹入孔を上下方向に長く形成し、水平軸がこの凹入孔内を上下方向に移動することにより、各閉塞部材が上下方向に移動可能とした請求項５記載の支柱下部の閉塞構造。
【請求項７】
凹入孔を奥行き方向に長く形成し、水平軸がこの凹入孔内を奥行き方向に移動することにより、各閉塞部材が支柱の内外方向に移動可能とした請求項５または６記載の支柱下部の閉塞構造。
【請求項８】
各閉塞部材の裏面に、上向き鉤形の弾性係合片を設け、この弾性係合片における起立部の上端部に設けた閉塞部材の裏面に向かって突出する突起が、支持部材に設けた水平突片に弾性係合することにより、各閉塞部材を定位置で弾性保持しうるようにした請求項１〜７のいずれかに記載の支柱下部の閉塞構造。
【請求項９】
支柱を四角柱とし、４個の閉塞部材により、支柱の各側面を下方に延長した延長面を閉塞するようにした請求項１〜８のいずれかに記載の支柱下部の閉塞構造。
【発明の詳細な説明】
【技術分野】
【０００１】
本発明は、床面上に支柱支持具を介して立設した支柱の下端と床面との間の空間の少なくとも一部を、閉塞部材をもって閉塞するようにした支柱下部の閉塞構造に関する。
【背景技術】
【０００２】
近年、オフィス等の室内空間においては、ある領域を他の領域より区別するために、間仕切パネル等により完全に仕切るのではなく、複数の支柱とそれらの上端同士を連結する横杆とにより骨組み構造体のみを形成し、その骨組み構造体により囲まれた空間が、特定の空間であることを示すようにしたものがある。
この骨組み構造体には、必要に応じて、パネルやスクリーン、電気配線、照明、その他の部材を、部分的に取付けることができるようになっている。
【０００３】
このような骨組み構造体を形成する支柱は、高さ調節機能を備える支柱支持具を介して床面上に立設される。
間仕切装置においては、支柱の下端における支柱支持具は、間仕切パネルとともに、上向コ字状断面等の巾木によって前後面が閉塞され、かつ両側面は間仕切パネルにより閉塞され、外部に露呈することはないが(例えば、特許文献１参照)、上記のように、支柱を単独で支柱支持具を介して床面上に立設する場合には、上向コ字状断面等の巾木を使用したのでは、両側面が開口して、そこから支柱支持具が露呈して体裁が悪く、また上面のみが開口し、かつ全側面が閉塞された箱状の巾木を使用したのでは、支柱支持具の高さ調節ができなくなるという問題がある。
【先行技術文献】
【特許文献】
【０００４】
【特許文献１】特開２００９−７７４９号公報
【発明の概要】
【発明が解決しようとする課題】
【０００５】
本発明は、従来の技術が有する上記のような問題点に鑑み、床面上に支柱支持具を介して立設した支柱の下端と床面との間の体裁をよくすることができるとともに、支柱支持具の操作や支柱内への配線作業等の作業性を向上しうるようにした支柱下部の閉塞構造を提供することを目的としている。
【課題を解決するための手段】
【０００６】
本発明によると、上記課題は、次のようにして解決される。
（１）床面上に支柱支持具を介して立設した支柱の下端と床面との間の空間の少なくとも一部を、閉塞部材をもって閉塞するようにした支柱下部の閉塞構造において、前記支柱の外周面を下方に延長した延長面を複数の垂直面をもって分割し、その分割した各分割延長面を閉塞する複数の閉塞部材のそれぞれを、支柱の下端に設けた支持部材に着脱可能として装着する。
【０００７】
このような構成とすると、支柱支持具は複数の閉塞部材によって外側面が隠蔽され、外部に露呈することがなく、体裁をよくすることができるとともに、いずれかの閉塞部材を支柱支持具から外すことにより、支柱支持具の操作や支柱内への配線作業等を容易に行うことができ、それらの作業性を向上することができる。
【０００８】
（２）上記(１)項において、互いに隣接する閉塞部材の対向面に、支柱の中心軸線の延長線を含む垂直面をなす当接面を形成する。
【０００９】
このような構成とすると、複数の閉塞部材によって、支柱の下方の空間が閉ループをなして隙間なく閉塞され、体裁をよくすることができるだけでなく、一つの閉塞部材に作用した外力が、対抗する当接面同士が当接することによって、隣接する閉塞部材に分散され、複数の閉塞部材が一体となって上記外力に対向することができるので、閉塞部材全体の強度を高めることができる。
【００１０】
（３）上記(１)または(２)項において、各閉塞部材を、支持部材に上下方向に移動可能として装着する。
【００１１】
このような構成とすると、閉塞部材を上下動させることにより生じた空間を利用して、配線の引出し作業や支柱支持具の操作をすることができる。
【００１２】
（４）上記(１)〜(３)項のいずれかにおいて、各閉塞部材を、支持部材に、水平軸回りに回動可能として装着する。
【００１３】
このような構成とすると、いずれかの閉塞部材を、水平軸回りに回動させて、支柱の下方の空間を局部的に開き、配線の引出し作業や支柱支持具の操作をすることができる。
【００１４】
（５）上記(１)〜(４)項のいずれかにおいて、各閉塞部材の裏面に、腕片を突設し、前記腕片の先端部に設けた水平軸を、支持部材に設けられ、かつ一部が前方に開口する凹入孔に嵌合し、この凹入孔内において前記水平軸が回動することにより、各閉塞部材が水平軸回りに回動可能とする。
【００１５】
このような構成とすると、凹入孔内において水平軸が回動することにより、各閉塞部材を水平軸回りに簡単に回動させることができる。
【００１６】
（６）上記(５)項において、凹入孔を上下方向に長く形成し、水平軸がこの凹入孔内を上下方向に移動することにより、各閉塞部材が上下方向に移動可能とする。
【００１７】
このような構成とすると、各閉塞部材を、簡単な構成で上下方向に移動させることができるとともに、水平軸回りに回動させつつ上下方向に移動させることにより、腕片が支柱の下端と干渉するのを防止したり、支柱の下端と閉塞部材の上端との間に大きな空間を形成したりすることもできる。
【００１８】
（７）上記(５)または(６)項において、凹入孔を奥行き方向に長く形成し、水平軸がこの凹入孔内を奥行き方向に移動することにより、各閉塞部材が支柱の内外方向に移動可能とする。
【００１９】
このような構成とすると、各閉塞部材を支柱から離れる方向に引き出したり、さらに水平軸回りに回動させたり(上記(５)項との組み合わせ)、上下動させたり(上記(６)項との組み合わせ)して、支柱の下方の空間を大きく開いたり、その際に閉塞部材を各種作業の妨げとならない位置に退避させたりすることができる。
【００２０】
（８）上記(１)〜(７)項のいずれかにおいて、各閉塞部材の裏面に、上向き鉤形の弾性係合片を設け、この弾性係合片における起立部の上端部に設けた閉塞部材の裏面に向かって突出する突起が、支持部材に設けた水平突片に弾性係合することにより、各閉塞部材を定位置で弾性保持しうるようにする。
【００２１】
このような構成とすると、各閉塞部材を定位置で弾性保持できるので、各閉塞部材が、わずかの外力で支持部材から脱落したり落下したりすることがない。
【００２２】
（９）上記(１)〜(８)項のいずれかにおいて、支柱を四角柱とし、４個の閉塞部材により、支柱の各側面を下方に延長した延長面を閉塞するようにする。
【００２３】
このような構成とすると、４個の閉塞部材を、四角柱の対角線に沿って分割した形状とし、それらの突き合わせ部を、四角柱の角部と整合させることができるので、突き合わせ部が目立たず、美麗な外観を呈することができる。
【発明の効果】
【００２４】
本発明によると、床面上に支柱支持具を介して立設した支柱の下端と床面との間の体裁をよくすることができるとともに、支柱支持具の操作や支柱内への配線作業等の作業性を向上しうるようにした支柱下部の閉塞構造を提供することができる。
【図面の簡単な説明】
【００２５】
【図１】本発明の支柱下部の閉塞構造を斜め前下方より見た分解斜視図である。
【図２】同じく、正面図である。
【図３】図２のIII−III線縦断側面図である。
【図４】３個の閉塞部材を支持部材より離脱し、１個の閉塞部材を支持部材に装着した状態の一部分解平面図である。
【図５】１個の閉塞部材を斜め前上方より見た斜視図である。
【図６】１個の閉塞部材を斜め後上方より見た斜視図である。
【図７】図４のVII−VII線拡大縦断正面図である。
【図８】図７図示の状態から、閉塞部材を引き下げた状態の縦断正面図である。
【図９】図８図示の状態から、閉塞部材を前方に移動させた状態の縦断正面図である。
【図１０】図９図示の状態から、閉塞部材を前上方に回動させた状態の縦断正面図である。
【図１１】図９図示の状態から、閉塞部材を上方に移動させた状態の縦断正面図である。
【発明を実施するための形態】
【００２６】
以下、本発明の一実施形態を、添付図面に基づいて説明する。
図１〜図３に示すように、支柱１は、高さ調節機能を備えるアジャスタボルトからなる支柱支持具２を介して、床面３上に立設されている。
【００２７】
支柱１は、正四角柱の中央に上下方向の角孔４が穿設され、かつ各側面の中央に、奥部５ａの幅を開口部５ｂの幅より大としたあり溝状の係合溝５を設けたものよりなっている。
【００２８】
支柱支持具２は、雄ねじ部２ａと、操作部である短寸の六角柱部２ｂと、円板状の接床部２ｃとを上下方向に連続して形成したものよりなっている。
【００２９】
支柱１の下端には、後述する閉塞部材１２を支持する支持部材６が設けられている。
この支持部材６は、支柱１の下端に当接され、幅および奥行きを支柱１のそれらよりわずかに小とした低寸のＸ字状の支持部６ａと、その上端中央より上方に突出し、支柱１の角孔４内に嵌合しうる差し込み部６ｂとからなっている。
【００３０】
図１に示すように、支持部材６は、その支持部６ａの上面が支柱１の下端に当接するまで、差し込み部６ｂを支柱１の角孔４内に嵌合した状態で、支持部６ａの四隅部を、止めねじ７をもって、支柱１の下面に固着することにより、支柱１に取付けられている。
なお、図３に示すように、さらに、支柱１の角孔４内に嵌合した差し込み部６ｂを、前後２対(および／または左右２対)の止めねじ７をもって支柱１に固着してもよい。
【００３１】
支持部材６の中央には、下端が開口するねじ孔８が設けられ、このねじ孔８に、支柱支持具２の雄ねじ部２ａを螺合し、その螺合量を調節することにより、支柱１の下端の床面３からの高さを調節しうるようになっている。
【００３２】
図１および図４に示すように、支持部６ａの前後左右の外側面には、外側面と上下面とに開口する上下方向を向く凹溝９が設けられている。
支持部６ａの外側面に設けられた４個の凹溝９は、その向きが異なるだけで同形同寸であるので、以下の説明では、前面におけるもののみについて説明し、後面と両側面とにおけるものについては説明を省略する。
【００３３】
凹溝９の両側壁には、互いに対向する凹入孔１０、１０が設けられている。この凹入孔１０、１０の形状および寸法については後述する。
【００３４】
各凹溝９の外縁上部には、上記凹入孔１０、１０に連通する拡幅部９ａが設けられ、同じく凹溝９の下部には、互いに対向する水平突片１１、１１が設けられている。
【００３５】
支柱１の下端と床面２との間の空間Ｓ(図３参照)における支持部６ａと支柱支持具２の外周の少なくとも一部を覆うため、４個の閉塞部材１２が用いられている。
各閉塞部材１２は、支柱１の外周面を下方に延長した延長面を、支柱１の対角線を含む複数の垂直面をもって分割し、その分割した各分割延長面を閉塞するようにして、支持部６ａの各側面に着脱可能として装着されている。
【００３６】
支持部６ａの４側面に装着される４個の閉塞部材１２は、その向きが異なるだけで同形同寸であるので、以下の説明では、前面に設けられたもののみについて説明し、後面と両側面とに設けられたものについては説明を省略する。
【００３７】
図４〜図６に示すように、支持部６ａの前面に装着される閉塞部材１２は、支柱１の前面の幅と同幅とし、かつ上下寸法を空間Ｓの上下寸法より若干小とした閉塞板１３と、この閉塞板１３の上部裏面に突設され、後方に向かって水平に延出する左右１対の腕片１４、１４と、両腕片１４、１４の後端部に外向きに突設された水平軸１５、１５と、両腕片１４、１４の上面における前後方向の中間部に上向突設された左右方向を向く係止突起１６、１６と、両腕片１４、１４の内側縁から閉塞板１３の裏面にかけて設けられた左右１対のリブ１７、１７と、閉塞板１３の下端から後方を向く下補強縁１８と、閉塞板１３の下端から後方を向く水平部１９ａの後端より起立部１９ｂが連設され、かつ起立部１９ｂの上端部に閉塞板１３の裏面に向かって突出する突起１９ｃが設けられた側面視上向き鉤形の左右１対の弾性係合片１９、１９とを備えている。
【００３８】
閉塞板１３と下補強縁１８との両側端は、支柱１の対角線を含む垂直面と同一面をなす、すなわち、平面視において支柱１の中心軸線の下方への延長線に向かって収束する傾斜面をなす当接面１３ａ、１３ａ、１８ａ、１８ａとし、各閉塞部材１２を、後述する正規の装着位置に装着したとき、互いに隣接する閉塞部材１２、１２の当接面１３ａ、１３ａ、１８ａ、１８ａ同士が当接して、４個の閉塞部材１２の表面が、支柱１の下方において、支柱１の前後左右の側面と同一面をなすようにしてある。
【００３９】
左右の水平軸１５、１５の外端面も、ほぼ支柱１の中心軸線の下方への延長線に向かって収束する傾斜面１５ａ、１５ａとしてある。
【００４０】
両腕片１４、１４の閉塞板１３への付根部は互いに内方に向かって肉厚を大とすることにより、両腕片１４、１４と閉塞板１３とにより、支柱１の係合溝５の奥部５ａと連通する平面視Ｕ字状の配線挿通孔１４ａを形成するようにしてある。
【００４１】
閉塞板１３の表面には、正規の装着位置としたとき、支柱１における係合溝５の下端に連続するようにした正面形が方形の浅い凹入段部２０が設けられ、かつその下端部には、ドライバー等の工具の先端部を挿入して、閉塞部材１２を押し下げるための左右方向に長い操作孔２１が設けられている。
【００４２】
支持部６ａにおける左右の凹入孔１０、１０の上下寸法は、水平軸１５、１５の直径より長く形成し、水平軸１５、１５がこの凹入孔１０、１０内を上下方向に移動することにより、各閉塞部材１２が上下方向に移動可能としてある。
また、支持部６ａにおける左右の凹入孔１０、１０の支柱１の奥行き方向の寸法は、水平軸１５、１５の直径より長く形成し、水平軸１５、１５がこの凹入孔１０、１０内を奥行き方向に移動することにより、各閉塞部材１２が支柱１の内外方向に移動可能としてある。
さらに、水平軸１５、１５が、凹入孔１０、１０内においてその軸線回りに回動することにより、各閉塞部材１２が水平軸１５、１５を中心として回動しうるようにしてある。
【００４３】
図７に示すように、閉塞部材１２が正規の装着位置に装着されているときは、閉塞部材１２の上端は支柱１の下端に当接し、閉塞板１３の裏面が支持部６ａの表面に当接して、閉塞板１３の表面が支柱１の表面とほぼ同一面をなし、左右の係止突起１６、１６が、支柱１の下端における係合溝５の奥部５ａと開口部５ｂとの段差部の下端部に後方より係合して、閉塞部材１２の前方への移動が阻止され、さらに、弾性係合片１９、１９の各突起１９ｃが、対応する水平突片１１の裏面側の上縁に弾性係合して、閉塞部材１２の下方への移動が阻止されている。
【００４４】
このとき、左右の水平軸１５、１５は、凹入孔１０、１０の上部の後限位置近くに位置している。
また、このとき、閉塞部材１２の下端と床面３との間には、閉塞部材１２が支持部６ａに対して上下動できる範囲より大きい間隙が形成されるようにしておくのが好ましい。
【００４５】
この状態から、閉塞部材１２の操作孔２１にドライバーその他の尖先工具(図示略)を差し込んで、閉塞部材１２を押し下げ、弾性係合片１９、１９の各突起１９ｃを、対応する水平突片１１から下方に離脱させると、図８に示すように、左右の水平軸１５、１５が、凹入孔１０、１０の底面１０ａ、１０ａに当接し、かつ腕片１４、１４の下面が、水平突片１１、１１に当接するまで、閉塞部材１２を下降させることができる。
【００４６】
この状態で、支柱１の下端と閉塞部材１２の上端との間に形成された間隙を利用して、支柱１の係合溝５の奥部５ａに挿通させた配線を点検したり、上記間隙から引き出して、修理や接続作業等を行うことができる。
【００４７】
図８に示す状態から、閉塞部材１２を前方に引くことにより、図９に示すように、左右の水平軸１５、１５が、凹入孔１０、１０の前端面１０ｂ、１０ｂに当接するまで、閉塞部材１２を前方に移動させることができる。
【００４８】
図９に示す状態からは、左右の水平軸１５、１５が、凹入孔１０、１０の底面１０ａ、１０ａと前端面１０ｂ、１０ｂとに当接したままの状態で、水平軸１５、１５を中心として、図１０に示すように、閉塞部材１２全体を前上方に回動させることができる。
【００４９】
この状態では、閉塞部材１２の下端と床面３との間に形成された間隙を利用して、支柱支持具２における六角柱部２ｂをスパナ等の工具により回転操作したり、配線作業等を行ったりすることができる。
【００５０】
また、図９に示す状態から、閉塞部材１２を、そのままの姿勢で、一旦図１１に示すように、腕片１４、１４が支柱１の下端に当接する位置まで持ち上げた後、前方に引き出すことにより、左右の水平軸１５、１５を、凹入孔１０、１０の前上部から凹溝９の拡幅部９ａを通して抜き出して、支持部６ａから離脱させることができる。
【００５１】
この状態では、支柱１の下端と床面３との間に形成された間隙を利用して、支柱支持具２の操作や大掛かりな配線作業等を行うことができる。
【００５２】
閉塞部材１２を支持部６ａに装着する際には、上記と逆の操作を行えばよい。
すなわち、左右の水平軸１５、１５を、凹溝９の拡幅部９ａを通して、凹入孔１０、１０の前上部に挿入して、閉塞部材１２を、まず図１１に示す状態とし、次いでそのままの姿勢で、図９に示す位置まで下降させた後、図８に示すように、閉塞板１３の裏面が支持部６ａの表面に当接するまで後方に押動し、次いでそのままの状態で、閉塞部材１２の上端が支柱１の下端に当接するまで持ち上げて、弾性係合片１９、１９の各突起１９ｃを、対応する水平突片１１の裏面側の上縁に弾性係合させればよい。
【００５３】
以上から明らかなように、本発明においては、支柱１の外周面を下方に延長した延長面を複数の垂直面をもって分割し、その分割した各分割延長面を閉塞する複数の閉塞部材１２のそれぞれを、支柱１の下端に設けた支持部材６に着脱可能として装着とてあるので、支柱支持具２は複数の閉塞部材１２によって外側面が隠蔽され、外部に露呈することがなく、体裁をよくすることができるとともに、いずれかの閉塞部材１２を支柱支持具６から外すことにより、支柱支持具２の操作や支柱１内への配線作業等を容易に行うことができ、それらの作業性を向上することができる。
【００５４】
また、互いに隣接する閉塞部材１２の対向面に、支柱１の中心軸線の延長線を含む垂直面をなす当接面１３ａ、１８ａを形成してあるので、複数の閉塞部材１２によって、支柱１の下方の空間が閉ループをなして隙間なく閉塞され、体裁をよくすることができるだけでなく、一つの閉塞部材１２に作用した外力が、対向する当接面１３ａ、１３ａ、１８ａ、１８ａ同士が当接することによって、隣接する閉塞部材１２に分散され、複数の閉塞部材１２が一体となって上記外力に対向することができるので、閉塞部材１２全体の強度を高めることができる。
【００５５】
さらに、各閉塞部材１２を、支持部材６に上下方向に移動可能としたり、水平軸回りに回動可能としてあるので、閉塞部材１２を上下動させたり、水平軸回りに回動させたりすることにより生じた空間を利用して、配線の引出し作業や支柱支持具２の操作をすることができるとともに、閉塞部材１２を床面３に当接するまで下降させて、床面３と閉塞部材１２との間の空間をなくすこともできる。
【００５６】
支持部材６や閉塞部材１２の形状や構造を、上記の実施形態のようにすると、構造を簡素化し、製造コストを低減できるとともに、閉塞部材１２の着脱操作の作業性をよくすることができる。
【００５７】
なお、上記実施形態においては、支柱１を四角柱とし、４個の閉塞部材１２により、支柱１の各側面を下方に延長した延長面を閉塞するようにしてあるが、支柱１を三角形または五角形以上の多角形としたり、円形や楕円形としたりすることができる。多角形とした場合は、その角数と同数の閉塞部材１２を用いて各面を閉塞するようにし、円形や楕円形とした場合は、支柱１の中心軸線の延長線を含む任意の数の垂直面で、支柱の外周面を下方に延長した延長面を分割し、その分割した各分割延長面を複数の閉塞部材をもって閉塞するようにするのがよい。
【００５８】
また、本発明は、支柱１を単独で支柱支持具２を介して床面３上に立設する場合だけでなく、間仕切装置におけるように、支柱１を間仕切パネル等とともに床面に立設する場合にも適用することができる。
【００５９】
さらに、本発明は、上記実施形態のみに限定されるものではなく、特許請求の範囲を逸脱することなく、幾多の変形した態様での実施が可能である。
【符号の説明】
【００６０】
Ｓ  空間
１  支柱
２  支柱支持具
２ａ雄ねじ部
２ｂ六角柱部
２ｃ接床部
３  床面
４  角孔
５  係合溝
５ａ奥部
５ｂ開口部
６  支持部材
６ａ支持部
６ｂ差し込み部
７  止めねじ
８  ねじ孔
９  凹溝
９ａ拡幅部
１０  凹入孔
１０ａ底面
１０ｂ前端面
１１  水平突片
１２  閉塞部材
１３  閉塞板
１３ａ当接面
１４  腕片
１４ａ配線挿通孔
１５  水平軸
１５ａ傾斜面
１６  係止突起
１７  リブ
１８  下補強縁
１８ａ当接面
１９  弾性係合片
１９ａ水平部
１９ｂ起立部
１９ｃ突起
２０  凹入段部
２１  操作孔
【図１】
0005462041.tif 000002
【図２】
0005462041.tif 000003
【図３】
0005462041.tif 000004
【図４】
0005462041.tif 000005
【図５】
0005462041.tif 000006
【図６】
0005462041.tif 000007
【図７】
0005462041.tif 000008
【図８】
0005462041.tif 000009
【図９】
0005462041.tif 000010
【図１０】
0005462041.tif 000011
【図１１】
0005462041.tif 000012